(57)【要約】      （修正有）【課題】炭を使用した食品の炙り加工に関して、安価で、一般家庭でも気軽に使用でき、食品に炭の香りを添加して炙り加工を施すことができる、炭を収容して使用する食品炙り用冶具を提供する。【解決手段】食品炙り用冶具Ａは、開閉型の容器であり、炭５を収容できる空間を有した網体、孔付き器等からなる炭収容器１と、この炭収容器１の開口部に、隙間なく合致する網体、孔付き器等からなる蓋２と、蓋２、及び／又は炭収容器１に付帯する取手３と、炭収容器１と蓋２を固定する留め具６から構成される。炭収容器１と蓋２は、炭５を効率的に燃焼させることができる網体で、バーベキューの焼き網として使用されるステンレス、鉄、またはその他の鋼材等からなり、耐火性・耐熱性を備える軽量素材、かつ熱伝導率が高い素材が望ましい。蓋２に付帯する取手３は木質等、炙り作業中に熱くなく安定して把持できる素材が望ましい。【選択図】図１
0003228306.tif 000002
【実用新案登録請求の範囲】
【請求項１】
開閉型の容器と、
この容器に設けた取手と、
でなり、
前記容器内に炭を収容し、前記取手で、この容器を保持した状態で、この容器の適所より、ガスバーナーの火炎を、前記炭に噴射可能としたことを特徴とする食品炙り用冶具。
【請求項２】
前記容器は、炭収容器と、この炭収容器に載荷された天面で構成し、前記炭収容器、及び／又は前記天面、に空気通過用の孔を備えたることを特徴とする請求項１に記載の食品炙り用冶具。
【請求項３】
前記取手は、前記炭収容器、及び／又は前記天面、に備えることを特徴とする請求項１に記載の食品炙り用冶具。
【請求項４】
前記炭収容器、及び／又は前記天面、が網体でなることを特徴とする請求項１に記載の食品炙り用冶具。
【請求項５】
前記天面は、中央部に窪みを有しており、前記火炎を収れん可能とすることを特徴とする請求項１に記載の食品炙り用冶具。
【請求項６】
前記炭収容器の中央部に、炭位置決め、炭安定用の手段を備えていることを特徴とする請求項１に記載の食品炙り用冶具。
【考案の詳細な説明】
【技術分野】
【０００１】
本考案は、炭を使用した食品の炙り用冶具に関する。
【背景技術】
【０００２】
従来、食品の炙り加工には、七輪による炙り方法やガスバーナーによる炙り方法がある。七輪による炙りの場合には、炭の火入れ等使用前の準備と、使用後の炭の後始末に手間がかかること、火災等の点で注意が必要なこと、さらに燃焼時に一酸化炭素が発生するために、室内での使用には特に注意が必要であること等の注意点が多い。また、手軽な炙り方法として一般的なガスバーナーによる炙りでは、食品にガス臭が残留し、炙った食品の風味が損なわれてしまう問題点がある。このガス臭は燃料用ガスの付臭剤が食品に付着したもので、燃料用ガスでは、嗅覚でガスの漏洩を感知できるように、都市ガスや液化石油ガスになどに薬剤を添加して人工的に臭いを付ける付臭が義務付けられているため、食品に付着するガス臭の元を取り除くことは極めて、難しい。
【０００３】
このような、問題を解決するための方法と技術を、従来文献から検索した結果、次のような方法とか、工夫が施されている技術がある。その一例を説明する。
【０００４】
例えば、特開２０１６−７７７６７号公報（文献１）であり、食品炙り装置により、炙り領域内に搬入された食品の表面に対し、赤外線ヒータから出力される近赤外線〜中波赤外線の赤外線を照射して焼き目を形成することができる。この食品炙り装置は、食品を搬送する搬送ユニットと、この搬送ユニットの炙り領域上方に設けられる赤外線ヒータユニットにより構成されている。その為に、構造が複雑で、かつその取扱いも厄介であること、また、価格高額とか、保管場所確保などの改良点も考えられる。
【０００５】
また、例えば、特許第６４９４０６３号公報（文献２）で、炙り加工が施された食品の風味を向上するための、調理用バーナー及び炙り加工方法に関する文献である。この文献２によれば、筒部材付きバーナーの一部である筒部材は、ガスバーナーの先端部に取付けられて、その燃焼炎を通過させる孔部を有する。この等方性黒鉛材からなる筒部材を通過した燃焼炎により炙り加工が施されることで、炙り加工が施された食品からガス臭がしなくなり、炙り加工後の食品の風味向上に有益である。しかし、この筒部材は特殊な素材であることから高額な製品となり、例えば、一般家庭では気軽に使用できない。さらに、この筒部材をガスバーナーの金属パイプに取付ける際、筒部材とガスバーナーの金属パイプと支持部材をねじ螺合で固定する必要があり、手間を要することと、少なくとも、ドライバーが必要となり、面倒である。
【先行技術文献】
【特許文献】
【０００６】
【特許文献１】特開２０１６−７７７６７号公報
【特許文献２】特許第６４９４０６３号公報
【考案の概要】
【考案が解決しようとする課題】
【０００７】
前述の文献１及び２においては、遠赤外線効果により炙り加工を施した食品の風味を改良することができる。しかしながら、装置自体が高額になること、収納場所や電源が必要なこと、さらには使用の準備に手間がかかるといった問題点が挙げられる。
【課題を解決するための手段】
【０００８】
上記に鑑み、本考案は、炭を使用した食品の炙り用冶具に関し、安価で、一般家庭でも気軽に使用でき、かつ収納性に優れ、しかも食品に炭の香りを添え得る炙りを提供できる。即ち、炭を収容し、この炭に火炎を噴射できる食品炙り用冶具として、請求項１−６を提案する。
【考案の効果】
【０００９】
請求項１においては、
開閉型の容器と、
容器に設けた取手と、
でなり、
容器内に炭を収容し、取手で、容器を保持した状態で、容器の適所より、ガスバーナーの火炎を、炭に噴射可能とした食品炙り用冶具とする。
【００１０】
これにより、炙り用冶具を、安価でコンパクトにすることで、例えば、一般家庭でも気軽に使用でき、かつ収納の利便性確保と、しかも食品に炭の香りを添え得る炙りを提供できる。即ち、炭を収容し、炭に火炎を噴射できる食品炙り用冶具を提供できることと、簡易に炙り料理が食し得る。
【００１１】
請求項２においては、
容器は、炭収容器と、炭収容器に載荷された天面で構成し、炭収容器、及び／又は天面、に空気通過用の孔を備える食品炙り用冶具とする。
【００１２】
これにより、請求項１の目的達成とともに、最適な容器を提供できる。
【００１３】
請求項３においては、
取手は、炭収容器、及び／又は天面、に備える食品炙り用冶具とする。
【００１４】
これにより、請求項１の目的達成とともに、容器に最適な取手を提供できる。
【００１５】
請求項４においては、
炭収容器、及び／又は天面、が網体でなる食品炙り用冶具とする。
【００１６】
これにより、請求項１の目的達成とともに、容器に最適な炭収容器を提供できる。
【００１７】
請求項５においては、
天面は、中央部に窪みを有しており、火炎を収れん可能とする食品炙り用冶具とする。
【００１８】
これにより、請求項１の目的達成とともに、容器に最適な天面を提供できる。
【００１９】
請求項６においては、
炭収容器の中央部に、炭位置決め、炭安定用の手段を備えている食品炙り用冶具とする。
【００２０】
これにより、請求項１の目的達成とともに、容器に最適な炭収容器を提供できる。
【図面の簡単な説明】
【００２１】
【図１】本考案の第一実施例における食品炙り用冶具を示す全体の斜視図
【図２】本考案の第一実施例における食品炙り用冶具のセッティング方法を示す図
【図３】天面を使用し、蓋より火炎を噴射し、食品に炙り加工を施している図
【図４−１】本考案の第二実施例における食品炙り用冶具を示す蓋を開いた全体の斜視図
【図４−２】本考案の第二実施例における食品炙り用冶具を示す全体の斜視図
【図５】本考案の第三実施例における食品炙り用冶具を示す全体の分解斜視図
【考案を実施するための形態】
【００２２】
以下、本考案の一実施例を説明するが、好ましい一例であり、この説明とか図面に限定されず、本考案の考えと、概念が符合するものは、本考案の範疇である。
【００２３】
図１に本考案の食品炙り用冶具Ａの第一実施例を示す。食品炙り用冶具Ａは、開閉型の容器であり、例えば、炭５を収容できる空間を有した網体、図示しないが孔付き器（以下、網体とする）等からなる炭収容器１と、この炭収容器１の開口部に、例えば、隙間なく合致する網体、図示しないが孔付き器（以下、網体とする）等からなる蓋２と、蓋２、及び／又は炭収容器１に付帯する取手３と、炭収容器１と蓋２を固定する留め具６から構成される。
【００２４】
炭収容器１と蓋２は、炭５を効率的に燃焼させることができる網体で、バーベキューの焼き網として使用されるステンレス、鉄、またはその他の鋼材等からなり、耐火性・耐熱性を備える軽量素材、かつ熱伝導率が高い素材が望ましい。蓋２に付帯する取手３は木質等、炙り作業中に熱くなく安定して把持できる素材が望ましい。
【００２５】
使用する炭は、バーベキュー用の木炭等であり、一つまたは複数の孔５ａが開けられた成形炭が好ましいが限定されない。
【００２６】
本考案の食品炙り用冶具Ａの使用方法について述べる。図２と図３に示す如く、炭収容器１に、適当な大きさの炭５を、孔５ａが上向きに開口するように収容し、その後、蓋２を被せる。このとき、図示しないが、炭収容器１の底面１０１の内側中央部に突起や窪み等の手段を設けて、炭５の位置決めや炭５の安定性を確保すると、炙り加工中の炭５の転倒を防ぐことができ、素早く、効率的に作業ができる。そして炭収容器１と蓋２を留め具６で固定する。留め具６は、耐火性・耐熱性を有する素材からなり、かつ取外しが簡易的な針金等であり、少なくとも２か所を固定すると良いが、固定場所や固定数は限定されない。
【００２７】
炙り加工を施す刺身や肉等の食品１０は、耐火性・耐熱性を有する皿等に並べておく。上述の通りセッティングした食品炙り用冶具Ａを食品１０の適所、例えば、上方で持ち、容器の蓋２の天面１００上から、炭収容器１の底面１０１に向かって噴射し、食品１０に向けてガスバーナーの火炎で炙り加工を施す。火炎は炭５の孔５ａを通過して食品１０に達し、この食品１０を炙るため、炭５の遠赤外線効果により食品１０表面を均一に素早く焼き上げて硬化させることができ、例えば、食品１０内部の旨味や水分を閉じ込めることができる。さらに、炭の香りによりガス臭が食品１０に付着することを防ぐことができる。
【００２８】
蓋２は中央部に向かって窪んでいる天面１００を有する。これにより、ガスバーナーの火炎を炭収容器１の中央部、即ち炭５と、炭５の孔５ａに向けて収れん可能となることで、より効率的に炙り作業を行い、かつ炭の香りを付着させる食品１０の炙り加工ができる。
【００２９】
図４に示す本考案の第二実施例では、炙り用冶具Ａは炭収容部分と蓋部分が一体的な、蓋一体型とする。取手９−１と取手９−２はそれぞれ蓋２と炭収容器１に付帯し、蓋２を閉じた際に一体的な取手となる。これにより、炙り加工を施しているときに、より安定して炙り冶具Ａを把持することができる。さらに、蓋２を外して置いておくスペースが要らないため、炭を出し入れする作業をスムーズに、かつ安全に行うことができる。この第二実施例おいては、蓋２を上下方向に開閉するようにしたが、スライド式等、開閉方法は限定されない。
【００３０】
尚、図示しないが、取手９は、炭収容器１、又は蓋２のみの例も有り得る。止め具６とか、嵌合方式等を利用することが望ましい。
【００３１】
図５に示す本考案の第三実施例では、炙り用冶具Ａは炭収容器１と蓋２が別体の構造で、取手９−１と取手９−２はそれぞれ蓋２と炭収容器１に付帯し、蓋２を閉じた際に一体的な取手となる構造を有する。これにより、炙り加工を施しているときに、より安定して炙り冶具Ａを把持することができるため、別体構造でずれやすい蓋２の固定と、さらに炙り用冶具Ａの持ちやすさが可能となる。尚、図示しないが、取手９は、炭収容器１、又は蓋２のみの例も有り得る。止め具６とか、嵌合方式等を利用することが望ましい。
【００３２】
本考案の第一及び第三実施例では炭収容器１を円柱形状とし、第二実施例では立方体形状としているが、炭５を収容できる空間を有していれば、炭収容器１の形状は任意の形状でよい。また、炙り用冶具Ａは、網体からなる実施例を示しているが、蓋２の天面１００と炭収容器１の底面１０１が網体であればよく、炭収容器１の側面１０２は、空気取入れ孔を複数個設けていれば良い（図示しない）。取手３は炭収容器１のみ、又は炭収容器１と蓋２の両方に付帯していても良い。
【００３３】
本考案によれば、炭の火起こしが不必要であるため、いつでもどこでも手軽に食品の炙り加工を行うことができる上、炙り加工を施した食品には、炭の香りが施され、風味、旨味がよくなる。また、桜やリンゴ等の燻製用の木のチップを下に敷いて香り付けしてもよい。
【００３４】
以上で説明した実施例の一例は、好ましい各例を示したものであり、同様な効果と特徴を有する他の構造、手段は、本考案の範疇である。
【符号の説明】
【００３５】
１  炭収容器
１００  天面
１０１  底面
１０２  側面
２  蓋
３  取手
５  炭
５ａ  孔
６  留め具
７  ガスバーナー
９−１、９−２  取手
１０  食品
Ａ  炙り用冶具
【図１】
0003228306.tif 000003
【図２】
0003228306.tif 000004
【図３】
0003228306.tif 000005
【図４−１】
0003228306.tif 000006
【図４−２】
0003228306.tif 000007
【図５】
0003228306.tif 000008
【手続補正書】
【提出日】令和2年7月15日(2020.7.15)
【手続補正１】
【補正対象書類名】実用新案登録請求の範囲
【補正対象項目名】全文
【補正方法】変更
【補正の内容】
【実用新案登録請求の範囲】
【請求項１】
開閉型の容器と、
この容器に設けた取手と、
でなり、
前記容器内に炭を収容し、前記取手で、この容器を保持した状態で、この容器の適所より、ガスバーナーの火炎を、前記炭に噴射可能としたことを特徴とする食品炙り用冶具。
【請求項２】
前記容器は、炭収容器と、この炭収容器に載荷された天面で構成し、前記炭収容器、及び／又は前記天面、に空気通過用の孔を備えたることを特徴とする請求項１に記載の食品炙り用冶具。
【請求項３】
前記取手は、前記炭収容器、及び／又は前記天面、に備えることを特徴とする請求項２に記載の食品炙り用冶具。
【請求項４】
前記炭収容器、及び／又は前記天面、が網体でなることを特徴とする請求項２に記載の食品炙り用冶具。
【請求項５】
前記天面は、中央部に窪みを有しており、前記火炎を収れん可能とすることを特徴とする請求項２に記載の食品炙り用冶具。
【請求項６】
前記炭収容器の中央部に、炭位置決め、炭安定用の手段を備えていることを特徴とする請求項２に記載の食品炙り用冶具。